(57)【要約】【課題】小型化が可能で、外力が内部メカニズムに直接加わることのない磁気記録再生装置を提供すること。【解決手段】メインアーム２６とサブアーム２９は、受光素子３１を含む平面内で、その回動動作中において常時受光素子３１と交差することなく構成されているため、装置横方向の寸法の小型化が図れると共に、ＭＩＣ−ＳＷ４６の肉厚を薄型化するのに伴い、ＭＩＣ−ＳＷ４６の上端をバックプレート４８で保持する構成とすることにより、装置奥行方向の小型化が図れる。【選択図】図７
2004139736.tif 000002
【特許請求の範囲】
【請求項１】
シャーシと、回転ヘッドシリンダと、テープを内蔵したカセットと、前記カセットを保持するカセット保持手段と、前記カセットを前記カセット保持手段より着脱可能な第１位置とそのカセットよりテープを引き出すことができる第２位置とに前記カセット保持手段を昇降移動させる移動手段と、前記シャーシに固定され、前記カセット保持手段の降下移動によりそのカセット保持手段に保持されたカセットの背面に係合してそのカセットの種類を判別するカセット判別スイッチと、前記シャーシに固定され、コの字形状のカバー部を有するバックプレートとを備え、前記カセット判別スイッチの先端部は他の部分より薄肉に形成され、その薄肉部を前記バックプレートのコの字形状のカバー部により挟持し、以って前記カセット判別スイッチをそれ自身のシャーシへの固定と前記バックプレートのカバー部による挟持により支持したことを特徴とする磁気記録再生装置。
【発明の詳細な説明】
【技術分野】
【０００１】
　本発明は、筐体状のカセットをビデオカセットレコーダ（以下、ＶＣＲという）やオーディオカセットレコーダ等に装着するための磁気記録再生装置に関するものである。
【背景技術】
【０００２】
　近年、カメラ一体型ＶＣＲに対する市場の要求は、更なる小型軽量化、信号の劣化が発生しないディジタル化等多岐にわたっている。ディジタル化により情報量は従来と比較して格段に増加しているが、信号圧縮技術や高密度記録技術等の進歩により、テープを内蔵したカセットの小型化が急速に進んでいる。その一方で、使用者が所有するカセットは年々増加するため、カセットの種類の検索や、テープに記録された情報の検索を容易に行うことができるＶＣＲシステムが求められている。
【０００３】
　これらの市場ニーズを満たす一例として、ＤＶ規格に準拠した家庭用ディジタルＶＣＲ（以下、ＤＶＣと略す）が挙げられる。ＤＶＣにおいては、強磁性体としてのメタルをテープ上に蒸着もしくは塗布することで、短波長記録による記録密度の向上を図っている。ＤＶＣカセットの外観を示す斜視図を図２２に示す。ＤＶＣカセットの背面には、ＩＤボード１０２ａが設けられ、後述する接触式認識スイッチ（ＭＩＣ−ＳＷと称す）を介して読み取った基板の抵抗値によりテープ厚、テープの材料などの情報を検出することができるようになっている。
【０００４】
　以下に、従来の磁気記録再生装置について図面を参照しながら説明する。
【０００５】
　図１６は、従来の磁気記録再生装置のアンロード位置にある時の平面図、図１７は、図１６の要部を拡大した平面図、図１８はローディング完了した位置での平面図、図１９はカセット着脱可能位置での図１６の右側面図、図２０はカセットがテープローディング可能な位置での図１６の右側面図、図２１は、図１８の右側面図である。
【０００６】
　図１６及び図２０において、メインシャーシ１００には回転ヘッドシリンダ１０１が取り付けられ、カセット１０２に内蔵したテープ（図示せず）との間で信号の授受を行う。メインシャーシ１００に植立したサブシャーシガイドピン１０３に対して摺動自在にサブシャーシ１０４が設けられている。図１９に示すように、サブシャーシ１０４に設けたメインアーム軸１０５に回転支持されたメインアーム１０６の一端は、カセット１０２を搬送するカセットホルダ１０７の側面に設けたメインアームピン１０８に摺動自在に係合している。
【０００７】
　一方、上部に外装パネル１０９が取り付けられたカセットホルダ１０７の側面には、サブアーム軸１１０が設けられ、サブアーム１１１を回動自在に支持している。サブアーム１１１の先端は、サブシャーシ１０４側面にあるサブアームピン１１２に摺動自在に係合している。なお、メインアーム１０６とサブアーム１１１はアーム結合ピン１１３を中心に互いに回動自在に係合していると共に、両者の間にはアップばね１１４が張架されており、常時カセットホルダ１０７を図１９のＡ方向に移動することができるように付勢している。
【０００８】
　一方、図１６及び図２０に示すように、サブシャーシ１０４上の所定位置には発光素子１１５が設けられ、二点鎖線で示すごとく発光素子１１５より２方向に分光された光１１６は、カセット１０２内のテープ、及びサブアーム１１１の長穴１１０ａを透過して、サブシャーシ１０４側面に取り付けられた受光素子１１７に到達することができるようになっている。この光１１６が受光素子１１７に到達するか否かで、テープの始終端位置を検知することができる。
【０００９】
　さらに、サブシャーシ１０４の側面に設けたガイドピン１１８に対して摺動自在にロックロッド１１９を設け、ロックばね１２０により図１９においてＣ方向に付勢されている。ロックロッド１１９に植立したロックピン１２１は、カセットホルダ１０７に形成したロック係合部１０７ａに係合可能な位置に設けられているとともに、ロックピン１２１が確実にロック係合部１０７ａの係止部１０７ｂに当接することができるように、カセットホルダ１０７はロック後も多少Ｂ方向に移動できるガタを有する構成になっている。
【００１０】
　加えて、図１９または図２０に示すように、カセット１０２背面のＩＤボード１０２ａに係合する位置にＭＩＣ−ＳＷ１２２を備えている。接触端子１２２ａ以外を絶縁するために、接触端子１２２ａを保持するハウジング１２２ｂは樹脂材料を用いることが一般的である。接触端子１２２ａは弾性を有する導電性材料が用いられ、所定の加圧を与えてＩＤボード１０２ａの抵抗値を読み取ることができるようになっている。
【００１１】
　以上のように構成された従来の磁気記録再生装置について、以下その動作について説明する。
【００１２】
　図１９において、カセットホルダ１０７にカセット１０２を挿入し、外装パネル１０９を押圧すると、カセットホルダ１０７はメインアーム１０６及びサブアーム１１１により案内されて下降する。そして、カセットホルダ１０７のロック係合部１０７ａがロックピン１２１に当接すると、ロックロッド１１９は矢印Ｄ方向に摺動し、その後ロック係合部１０７ａがロックピン１２１を通過した瞬間にロックロッド１１９はロックばね１２０の付勢力により、図２０に示す位置に復帰することとなる。
【００１３】
　なお、カセットホルダ１０７のロック後、図２０において外装パネル１０９をＢ方向に押圧すると、上記したガタによりカセットホルダ１０７は押し込まれるが、アップばね１１４の復帰力により図２０に示す位置に静止する。一方、カセットホルダ１０７の下降時に、発光素子１１５から受光素子１１７への光路はサブアーム１１１により一時的に遮られるが、下降終了時には図１６及び図２０に示すように光路が確保できるようになる。この後、カセットホルダ１０７を搭載したサブシャーシ１０４がサブシャーシガイドピン１０３に案内されて回転ヘッドシリンダ１０１側に移動し、テープの記録／再生ができることとなる。
【特許文献１】特開平２−２３６８４７号公報
【特許文献２】特開平７−４５０４５号公報
【発明の開示】
【発明が解決しようとする課題】
【００１４】
　しかしながら上記従来の構成では、次の３つの課題を有していた。
（１）サブアームの移動軌跡が受光素子と交差するため、受光素子はサブアームの外側、すなわち、サブアームに対してカセットと反対側に設ける必要がある。従って、メカニズムの横幅寸法を限りなく小さくする上で制約を受け、装置全体を限界まで小型化できない。
（２）ＭＩＣ−ＳＷは、自身の剛性及び動作信頼性を確保するために樹脂材料として一定以上の肉厚が必要になるが、その肉厚がメカニズムの奥行き寸法の支配的要因になるため、メカニズムの奥行き寸法を小さくする上で限界がある。仮にＭＩＣ−ＳＷを極薄にすると、シャーシに対するＭＩＣ−ＳＷの垂直度が確保できなくなるため、接触端子のＩＤボードへの接触圧のバラつきが増大することとなり、動作信頼性に欠ける。
（３）外装パネルとカセットホルダが一体的に構成されているため、外装パネルに作用する外力は直接カセットホルダを介して内部のメカニズムに伝播することとなる。従って、カメラ一体型ＶＣＲの場合、使用者が撮影時等に直接外装パネルに触れるため、装置もしくはカセットに歪み、変形等が生じて信頼性を損なうとともに、製品としての品位に欠ける。
【００１５】
　そこで、本発明は上記従来の問題点を解決するもので、小型化に適し、かつ、動作信頼性の高い磁気記録再生装置を提供することを目的とする。
【課題を解決するための手段】
【００１６】
　上記従来の課題を解決するために本発明の磁気記録再生装置は、カセット出し入れの際のホルダの上下移動に伴うサブアームの移動軌跡が受光素子と交差しないものとし、カセット判別手段（ＭＩＣ−ＳＷ）端面の肉厚を薄くすると共に挟持する保護手段を設け、さらには外装パネルに加わった外力が直接カセットホルダに加わらない構成としたものである。
【００１７】
　かかる構成とすることにより、メカニズムの横幅寸法／奥行き寸法を小さく出来、撮影時にカセット及び内部メカニズムに歪み、変形等の生じることのない信頼性の高い磁気記録再生装置を実現出来るものである。
【発明の効果】
【００１８】
　以上のように本発明は、シャーシと、テープを内蔵したカセットを保持するカセット保持手段と、互いに回動自在に支持された一対のアームで構成し、かつ、カセットをカセット保持手段より着脱可能な第１位置と、シャーシにカセットを装着する第２位置との間をカセット保持手段を往復移動させる移動手段と、カセットの側面に近接して設けた検知部材を含めてなる、テープの始終端を検知する検知手段と、検知部材に対してシャーシ側に設けた案内ピンとを備え、カセット保持手段が第１位置と第２位置との間を往復移動する際、一対のアームのうち一方は、検知部材に対してシャーシの反対側を移動し、かつ他方は案内ピンに案内されて検知部材に対してシャーシ側を移動することにより、一対のアームは検知部材を含む平面内において、検知部材に交差することなく移動してカセット保持
手段を駆動することができるため、メカニズムの設計自由度が大きく広がると共に、メカニズムの小型化、特にメカニズムの横幅寸法の大幅な低減に寄与し、ひいては装置全体の小型化を実現することができるという大きな効果がある。
【００１９】
　また、本発明は、シャーシと、シャーシに固着され、かつ、カセットの背面に係合してカセットの種類を判別するカセット判別手段と、シャーシに設けられ、かつカセット判別手段を挟持する保護手段とを備えたことにより、カセット判別手段はシャーシと保護手段の両者により固着して支持されるため、従来以上に薄型のカセット判別手段であっても動作信頼性を確保でき、装置の小型化、特にメカニズムの奥行き寸法の大幅な低減に寄与し、ひいては装置全体の小型化を実現することができるという多大な効果がある。
【００２０】
　さらに本発明は、回転ヘッドシリンダを搭載し、かつカム部を有するメインシャーシと、カセットよりテープを引き出すことができるアンローディング位置と回転ヘッドシリンダにより記録／再生可能なローディング位置とに往復移動可能なサブシャーシと、カセットをサブシャーシに装着する装着位置とカセット着脱位置とに往復移動可能なカセットホルダと、カム部に係合し、かつ、サブシャーシがアンローディング位置にある時は、カセットホルダが装着位置とカセット着脱位置とに往復移動する動作を妨げない開放位置をとるとともに、サブシャーシがローディング位置にある時は、カセットホルダを前記サブシャーシ上に保持するロック位置をとる係止手段とを備えたことにより、記録／再生時に外装筐体に作用する外力がカセット保持手段を介して内部のメカニズムに伝播しないため、歪み／変形や誤動作が生じない、信頼性の高い装置を提供することができる。
【００２１】
　しかも、シャーシの外形形状及びシャーシの相対移動動作の両者を利用して確実にカセット保持手段のロック／ロック解除を行うことができ、従来のようにロックに際してばねなどの付勢手段を用いる必要がないため、コストパフォーマンスの高い、極めて安価な装置を提供することができ、その実用的効果は大きい。
【発明を実施するための最良の形態】
【００２２】
　本発明の１つは、シャーシと、テープを内蔵したカセットを保持するカセット保持手段と、互いに回動自在に支持された一対のアームで構成し、かつ、前記カセットを前記カセット保持手段より着脱可能な第１位置と、前記シャーシに前記カセットを装着する第２位置とに前記カセット保持手段を往復移動させる移動手段と、前記カセットの側面に近接して設けた検知部材を含めてなる、前記テープの始終端を検知する検知手段と、前記検知部材に対して前記シャーシ側に設けた案内ピンとを備え、前記カセット保持手段が前記第１位置と前記第２位置とに往復移動する際、前記一対のアームのうち一方は、前記検知部材に対して前記シャーシの反対側を移動し、かつ他方は前記案内ピンに案内されて前記検知部材に対して前記シャーシ側を移動することを特徴とする磁気記録再生装置、としたものであり、かかる構成とすることにより、一対のアームは、検知部材に交差することなく移動してカセット保持手段を駆動することとなり、メカニズムの横幅寸法を限りなく小さく出来る。
【００２３】
　また、本発明の２つ目は、シャーシと、前記シャーシに固着され、かつ、カセットの背面に係合して前記カセットの種類を判別するカセット判別手段と、前記シャーシに設けられ、かつ前記カセット判別手段を挟持する保護手段とを備えたことを特徴とする磁気記録再生装置、としたものであり、かかる構成とすることにより、カセット判別手段はシャーシと保護手段の両者により固着して支持されることとなり、カセット判別手段の信頼性を確保しつつメカニズムの奥行き寸法を小さく出来る。
【００２４】
　また、本発明の３つ目は、回転ヘッドシリンダを搭載し、かつカム部を有するメインシャーシと、カセットよりテープを引き出すことができるアンローディング位置と前記回転ヘッドシリンダにより記録／再生可能なローディング位置とに往復移動可能なサブシャーシと、前記カセットを前記サブシャーシに装着する装着位置とカセット着脱位置とに往復移動可能なカセットホルダと、前記カム部に係合し、かつ、前記サブシャーシが前記アンローディング位置にある時は、前記カセットホルダが前記装着位置と前記カセット着脱位置とに往復移動する動作を妨げない開放位置をとるとともに、前記サブシャーシが前記ローディング位置にある時は、前記カセットホルダを前記サブシャーシ上に保持するロック位置をとる係止手段とを備えたことを特徴とする磁気記録再生装置、としたものであり、かかる構成とすることにより、サブシャーシが第１位置にある時、係止手段はカセット保持手段が移動する動作を妨げない位置をとり、かつ、サブシャーシが第２位置にある時、係止手段はカセット保持手段を第２のシャーシ上に保持すると共に、移動手段とカセット保持手段との係合が解除されることとなる。つまり、使用者が撮影時等に直接外装パネルに触れることがあっても、その外力が内部のメカニズムに伝播することがなく、装置もしくはカセットに歪み、変形等が生じない、信頼性及び品位の高い、カメラ一体型ＶＣＲを実現出来る。
【００２５】
　以下、本発明の実施の形態について、図１から図１５を用いて説明する。
【００２６】
　図１は、本発明の磁気記録再生装置においてアンロード位置にある時のシャーシ構成を示す平面図、図２は、図１の要部を拡大した平面図、図３はローディング完了した位置でのシャーシ構成を示す平面図、図４は外装筐体に取り付けられたカセットホルダ移動手段を示す平面図、図５はカセット着脱位置での装置の左側面図、図６は、カセットがアンロード位置でサブシャーシに位置決めされた状態を示す装置の左側面図、図７は、カセット着脱位置での装置の右側面図、図８は、カセットがアンロード位置でサブシャーシに装着された状態を示す装置の右側面図、図９から図１１は係止手段であるクランパの動作を示す右側面図、図１２から図１４はカセットホルダが昇降する動作を示す右側面図、図１５はＭＩＣ−ＳＷ部を拡大した平面図である。
【００２７】
　まず、外装筐体１に取り付けられたカセットホルダ移動手段について述べる。
【００２８】
　図４及び図５において、外装筐体１に固着された左アウトスタンド２及び右アウトスタンド３には回動軸４が植立され、この回動軸４周りに回動自在にアウトホルダ５を設けている。アウトホルダ５と左アウトスタンド２との間にはアップばね６が張架され、アウトホルダ５を図５反時計方向に常時付勢しているとともに、左アウトスタンド２及び右スタンドに形成したストッパ７により、アウトホルダ５は図５に示す位置よりも反時計方向に回転できないように規制される。
【００２９】
　また、図５に示すように、左アウトスタンド２に植立したロックプレートガイドピン８に対して摺動自在にロックプレート９を設け、左アウトスタンド２との間に張架したロックプレートばね１０により、常時矢印Ｃ方向に付勢されている。
【００３０】
　ロックプレート９にはロックプレートピン１１が植立され、アウトホルダ５に形成したカム面５ａにロックプレートピン１１が当接するようになっている。カム面５ａは回動軸４を中心とした同心円弧形状になっている。アウトホルダ５の先端にはアウトホルダピン１２が植立され、ロックプレート９に形成した傾斜部９ａを有するロック部９ｂに係合できるように構成してある。
【００３１】
　なお、ローディングモータ（図示せず）によりロックプレート９を摺動させてアウトホルダ５のロック状態を解除できるようになっている。
【００３２】
　一方、図４に示すように、アウトホルダ５には後述するカセットホルダ１３の両側面より突出して設けたホルダ軸１４に係合してカセットホルダ１３を往復移動させる駆動部１５が左右に設けられている。図５から図７に示すように、駆動部１５はアウトホルダ５の側面に固着された固定部１６と、アウトホルダ５裏面を固定端とし自由端は固定部１６に当接する板ばね１７より構成されている。
【００３３】
　従って、板ばね１７は図５に示す状態より反時計方向に撓むことが出来るようになっている。さらに、左アウトスタンド２にはロックプレート９の先端部９ｃに係合してＯＮ／ＯＦＦ動作を行うダウン検出ＳＷ１８が取り付けられている。図６に示すように、ロックプレート９の先端部９ｃによりダウン検出ＳＷ１８がＯＦＦ状態からＯＮ状態になると、図示しないローディングモータが作動してテープローディング及び後述するサブシャーシ１９の移動を行うようになっている。
【００３４】
　次に、カセットホルダ移動手段以外の装置構成について説明する。
【００３５】
　図１及び図３において、メインシャーシ２０には回転ヘッドシリンダ２１が取り付けられ、カセット１０２に内蔵したテープとの間で信号の授受を行う。また、メインシャーシ２０に植立したサブシャーシガイドピン２２に対して摺動可能にサブシャーシ１９が設けられ、サブシャーシ１９上にはカセット高さ決めピン２３及びカセット１０２を保持するカセットホルダ１３の下降可能位置を決めるカセットホルダ高さ決めピン２４が植立されている。一方、図７に示すように、サブシャーシ１９に形成したメインアーム軸２５を中心に回動自在にメインアーム２６を設け、一端はカセットホルダ１３の側面に設けたメインアームピン２７に摺動自在に係合している。
【００３６】
　また、カセットホルダ１３側面に植立したサブアーム軸２８を中心に回動自在にサブアーム２９を設け、その一端はサブシャーシ１９側面にあるサブアームピン３０に摺動自在に係合している。カセットホルダ１３は、メインアーム２６とサブアーム２９の両者により昇降時の姿勢が規定される構成となっている。サブアームピン３０は後述する受光素子３１とサブシャーシ１９との間に位置している。
【００３７】
　従って、図７及び図１２から図１４に示すように、メインアーム２６及びサブアーム２９は、受光素子３１を含む平面内において、常時受光素子３１と交差しない位置を移動することができるようになっている。なお、メインアーム２６とサブアーム２９はアーム結合ピン３２を中心に互いに回動自在に係合している。図２及び図７に示すように、メインアーム２６の長穴２６ａを含む平面は、サブアーム２９の移動する平面と同一になっており、図２におけるＡ方向の寸法を限りなく小さくした構成にしてある。
【００３８】
　また、カセットホルダ１３にはカセット１０２をカセット高さ決めピン２４に圧着するカセット押圧ばね３３が内蔵されており、常時カセット１０２を図７におけるＢ方向に付勢している。さらに、図１及び図７に示すようにサブシャーシ１９の右側面に植立したリッドオープナ軸３４を中心に回動自在にリッドオープナ３５を設け、リッドオープナ３５はリッドオープナばね３６により常時図７反時計方向に付勢されていると共に、リッドオープナ３５の先端に突出して設けた蓋開けピン３７はカセット１０２の前面蓋１０２ｂに係合して最大角度まで前面蓋１０２ｂを開放することができるようになっている。
【００３９】
　他方、図１及び図７に示すように、サブシャーシ１９上の所定位置には発光素子３８が設けられ、二点鎖線で示す如く発光素子３８より２方向に分光された光３９は、カセット１０２内のテープ（図示せず）を透過した後、サブシャーシ１９の両側面に設けたセンサホルダ４０を介して固定された受光素子３１に到達することができるようになっている。発光素子３８及び受光素子３１の機能は従来例と同様であるが、異なる点は図２に示すように、従来例に比べ、受光素子３１をより装置の内側、つまりカセット１０２の側面により接近する位置に設けたという点である。
【００４０】
　さらに、サブシャーシ１９の側面に設けたクランパ軸４１に対して回動自在にクランパ４２を設けている。図７から図１１に示すように、サブシャーシ１９を貫いて下方に延びたクランパ４２の一端には、クランパピン４３が植立されており、溝部を含むカム形状にしたメインシャーシ２０の外周面４４に常時係合するように構成している。
【００４１】
　一方、クランパ４２の他端に設けたフック部４２ａは、クランパ軸４１を中心とした同心円弧形状をなしており、カセットホルダ１３の側面に設けたホルダクランプピン４５に係合出来るようになっている。
【００４２】
　加えて、図８及び図１５に示すように、カセット１０２背面のＩＤボード１０２ａに係合する位置に、端子部４６ｂを有する薄型のＭＩＣ―ＳＷ４６を設け、サブシャーシ１９にネジ４７で締結されている。ＭＩＣ―ＳＷ４６の先端部４６ａは、コの字形状をしたカバー部４８ａを有するバックプレート４８に挾持された構成としている。ここで、カセット１０２昇降時にカセット１０２背面がコの字部の先端に引っ掛からないようにするために、ＭＩＣ―ＳＷ４６の先端部４６ａは、他の部分に比べて薄肉になっている。
【００４３】
　また、バックプレート４８はサブシャーシ１９の側面にネジ４９で締結されているので、ＭＩＣ―ＳＷ４６は、ネジ４７とカバー部４８ａにより両端で支持された構成になっている。
【００４４】
　なお、メインアーム２６、メインアームピン２７、サブアーム２９、サブアーム軸２８、ホルダ軸１４及びホルダクランプピン４５はカセットホルダ１３の両側面に配設されていると共に、メインアーム軸２５、サブアームピン３０及びクランパ４２はサブシャーシ１９の両側面に配設され、かつ、メインシャーシ２０の外周面４４の形状は、図１において左右対称となっている。さらに、カセットホルダ１３が図８に示す位置まで下降したときに、アウトホルダ５の板ばね１７がカセットホルダ１３を押圧する力は、カセット押圧ばね３３がカセット１０２を押圧する力よりも充分大きく設定してあるとともに、図８に示す位置より図１１に示す位置までサブシャーシ１９が移動した際には、ホルダ軸１４と板ばね１７が完全に離間する構成としてある。
【００４５】
　このように、本発明ではカセットホルダ移動手段であるアウトホルダ５側にロック機構が備わった構成となっている。
【００４６】
　上記のように構成した磁気記録再生装置について、以下その動作を説明する。
【００４７】
　まず、カセットホルダ１３の下降動作について説明する。
【００４８】
　図５において、アップばね６の付勢力に抗してアウトホルダ５をＢ方向に押圧すると、カセットホルダ１３はまず固定部１６に案内されて下降を開始し、その後、板ばね１７により押圧されながら更に下降する。カセットホルダ１３の上記した動作に連動してメインアーム２６及びサブアーム２９は図７に示す状態から図１２、及び図１３に示す状態を経て、図１４に示す位置まで達する。この動作の過程において、サブアーム２９は受光素子３１とサブシャーシ１９との間を通過しながら移動する。図７において、カセットホルダ１３内のカセット１０２は下降の途中でバックプレート４８のカバー部４８ａにて引っかかることなくＭＩＣ―ＳＷ４６の端子部４６ｂに係合する。カセット１０２の前面に着目すると、前面蓋１０２ｂは、蓋開けピン３７に係合し、かつリッドオープナばね３６付勢
力により最大角度まで開放される。
【００４９】
　一方、左側面においては、図５に示すように、ロックプレート９はアウトホルダ５のカム面５ａに係合している間は左アウトスタンド２に対して静止しているものの、アウトホルダピン１２がロックプレート９の傾斜面に係合し始めると、徐々にロックプレートばね１０の付勢力に抗して矢印Ｄ方向に摺動する。その後、図６に示すように、ロックプレートばね１０の付勢力によりアウトホルダ５はロックプレート９によりロックされ、ダウン検出ＳＷ１８がＯＦＦ状態からＯＮ状態に移行する。図６に示す位置においては、カセットホルダ１３はカセット１０２を介してカセット押圧ばね３３による矢印Ａ方向の力と、アウトホルダ５の板ばね１７より矢印Ｂ方向の力を同時に受けているが、前述したように、前者の力よりも後者の力を大きく設定してあるので、カセットホルダ１３はカセットホルダ高さ決めピン２４に当接したままである。また、カセット１０２もカセット押圧ばね３３の付勢力によりその底面がカセット高さ決めピン２３に当接している。
【００５０】
　次にサブシャーシ１９が移動してローディングを行う動作について説明する。
【００５１】
　ダウン検出ＳＷ１８がＯＮ状態になったことにより、図示しないローディングモータが作動してサブシャーシ１９が移動を開始する。すると、図９に示すように、サブシャーシ１９上のクランパ４２はメインシャーシ２０の外周面４４に形成したカム面により、図９時計方向に回転して、そのフック部４２ａがカセットホルダ１３側面のホルダクランプピン４５に係合する。図９においては、板ばね１７により、カセットホルダ１３はカセットホルダ高さ決めピン２４に圧着された状態を保っているとともに、カセット１０２はカセット押圧ばね３３によりカセット高さ決めピン２３に圧着している。この後、サブシャーシ１９がさらに移動すると、図１０に示すように、クランパ４２はサブシャーシ１９に対して静止した状態を保つ一方、アウトホルダ５の板ばね１７よりカセットホルダ１３のホルダ軸１４が離間し始める。従って、カセットホルダ１３はカセット１０２を介してカセット押圧ばね３３による矢印Ａ方向の反力のみを受け、クランパ４２のフック部４２ａとホルダクランプピン４５とが当接した状態を保つ。そして、この反力により、カセットホルダ高さ決めピン２４よりカセットホルダ１３の底面が離間する。但し、カセット１０２はカセット押圧ばね３３によりカセット高さ決めピン２３に圧着した状態を保っている。さらに、サブシャーシ１９が移動すると、図１１に示すように、アウトホルダ５の板ばね１７とカセットホルダ１３のホルダ軸１４がますます離れていき、カセットホルダ１３とアウトホルダ５は完全に分離されることとなる。一方、カセット１０２はカセット押圧ばね３３によりカセット高さ決めピン２３に圧着された状態を保つこととなる。
【００５２】
　反対にカセット１０２をアンローディングさせて装置より取り出すときには、前に述べた動作と逆の動作を行う。まず、ローディングモータ（図示せず）により、サブシャーシ１９が図１１においてＤ方向に移動する。カセットホルダ１３は、アウトホルダ５の板ばね１７により徐々に加圧され、カセットホルダ１３の底面がカセットホルダ高さ決めピン２４に当接するようになる。その後、図８に示す位置までサブシャーシ１９が移動を完了すると、クランパ４２はクランパピン４３を介してメインシャーシ２０の外周面４４により反時計方向に回転し、ホルダクランプピン４５との係合を解除する。従って、カセットホルダ１３はカセット着脱位置に移動可能な待機状態となる。一方、左側面においては、ロックプレート９が図６矢印Ｄ方向に駆動され、ロック部９ｂがアウトホルダピン１２よ
り離間した瞬間、アウトホルダ５がアップばね６の付勢力により、図６反時計方向に回転する。アウトホルダ５の上記した動作に連動してカセットホルダ１３は板ばね１７及び固定部１６に案内されて上昇し、アウトホルダ５が左アウトスタンド２及び右アウトスタンド３のいずれか一方のストッパ７に当接して移動動作が完了する。
【００５３】
　なお、カセットホルダ１３にカセット１０２が装填されていない時の動作は、カセットホルダ１３がカセット押圧ばね３３の反力を受けないという点を除いては、上記した動作と同様であるため、その説明は省略する。
【００５４】
　以上のように、本実施例によれば、カセット保持手段がカセット着脱位置とシャーシ装着位置とに往復移動する際、カセット保持手段を駆動する一対のアームのうち一方は、検知部材に対してシャーシの反対側を移動し、かつ他方は案内ピンに案内されて検知部材に対してシャーシ側を移動することにより、一対のアームは検知部材を含む平面内において、検知部材に交差することなく移動してカセット保持手段を駆動することができる、メカニズムの横幅寸法を低減することが出来る。
【００５５】
　また、シャーシに固着されたカセット判別手段と、カセット判別手段を挟持する保護手段とを備えたことにより、従来以上に薄型のカセット判別手段であっても動作信頼性を確保でき、メカニズムの奥行き寸法の低減が図られる。
【００５６】
　さらに、カム部を有するメインシャーシと、カセットよりテープを引き出すことができるアンローディング位置と回転ヘッドシリンダにより記録／再生可能なローディング位置とに往復移動可能なサブシャーシと、カセットをサブシャーシに装着する装着位置とカセット着脱位置とに往復移動可能なカセットホルダと、カム部に係合し、かつ、サブシャーシがアンローディング位置にある時は、カセットホルダが装着位置とカセット着脱位置とに往復移動する動作を妨げない開放位置をとるとともに、サブシャーシがローディング位置にある時は、カセットホルダを前記サブシャーシ上に保持するロック位置をとる係止手段とを備えたことにより、記録／再生時に外装筐体に作用する外力が内部のメカニズムに伝播しない為、歪み／変形等が生じない、信頼性の高い装置を提供することができる。
【００５７】
　なお、本実施例では、カセット判別手段としてＭＩＣ−ＳＷを一例として述べたが、誤消去防止ＳＷなどカセット筐体に係合して動作するＳＷを有する装置であれば適用可能である。
【産業上の利用可能性】
【００５８】
　本発明は、テープを内蔵したカセットと、前記カセットを保持するカセット保持手段と、前記カセットを前記カセット保持手段より着脱可能な第１位置とそのカセットよりテープを引き出すことができる第２位置とに前記カセット保持手段を昇降移動させ、かつ、カセット保持手段の降下移動によりそのカセット保持手段に保持されたカセットの背面に係合してそのカセットの種類を判別するカセット判別スイッチを備えるこの種装置の動作の信頼性と小型化に寄与するものである。
【図面の簡単な説明】
【００５９】
【図１】本発明の実施の形態例における磁気記録再生装置の、アンロード位置にある時のシャーシ構成を示す平面図
【図２】図１の要部を拡大した平面図
【図３】本発明の実施の形態例における磁気記録再生装置の、ローディング完了した位置でのシャーシ構成を示す平面図
【図４】本発明の実施の形態例における磁気記録再生装置の、外装筐体に取り付けられたカセットホルダ移動手段を示す平面図
【図５】本発明の実施の形態例における磁気記録再生装置の、カセット着脱位置での左側面図
【図６】本発明の実施の形態例における磁気記録再生装置の、カセットがアンロード位置でサブシャーシに位置決めされた状態を示す左側面図
【図７】本発明の実施の形態例における磁気記録再生装置の、カセット着脱位置での右側面図
【図８】本発明の実施の形態例における磁気記録再生装置の、カセットがアンロード位置でサブシャーシに装着された状態を示す右側面図
【図９】本発明の実施の形態例における磁気記録再生装置の、係止手段であるクランパの動作を示す右側面図
【図１０】本発明の実施の形態例における磁気記録再生装置の、係止手段であるクランパの動作を示す右側面図
【図１１】本発明の実施の形態例における磁気記録再生装置の、係止手段であるクランパの動作を示す右側面図
【図１２】本発明の実施の形態例における磁気記録再生装置の、カセットホルダが昇降する動作を示す右側面図
【図１３】本発明の実施の形態例における磁気記録再生装置の、カセットホルダが昇降する動作を示す右側面図
【図１４】本発明の実施の形態例における磁気記録再生装置の、カセットホルダが昇降する動作を示す右側面図
【図１５】本発明の実施の形態例における磁気記録再生装置の、ＭＩＣ−ＳＷ部を拡大した平面図
【図１６】従来の磁気記録再生装置の、アンロード位置にある時の平面図
【図１７】図１６の要部を拡大した平面図
【図１８】従来の磁気記録再生装置の、ローディング完了した位置での平面図
【図１９】従来の磁気記録再生装置の、カセット着脱可能位置での図１６の右側面図
【図２０】従来の磁気記録再生装置の、カセットがテープローディング可能な位置での図１６の右側面図
【図２１】図１８の右側面図
【図２２】ＤＶＣカセットの外観を示す斜視図
【符号の説明】
【００６０】
　５　アウトホルダ
　１３　カセットホルダ
　１９　サブシャーシ
　２０　メインシャーシ
　２１　回転ヘッドシリンダ
　２６　メインアーム
　２９　サブアーム
　３０　サブアームピン
　３１　受光素子
　３３　カセット押圧ばね
　３８　発光素子
　４２　クランパ
　４６　ＭＩＣ−ＳＷ
　４８　バックプレート
　１０２　カセット
【図１】
2004139736.tif 000003
【図２】
2004139736.tif 000004
【図３】
2004139736.tif 000005
【図４】
2004139736.tif 000006
【図５】
2004139736.tif 000007
【図６】
2004139736.tif 000008
【図７】
2004139736.tif 000009
【図８】
2004139736.tif 000010
【図９】
2004139736.tif 000011
【図１０】
2004139736.tif 000012
【図１１】
2004139736.tif 000013
【図１２】
2004139736.tif 000014
【図１３】
2004139736.tif 000015
【図１４】
2004139736.tif 000016
【図１５】
2004139736.tif 000017
【図１６】
2004139736.tif 000018
【図１７】
2004139736.tif 000019
【図１８】
2004139736.tif 000020
【図１９】
2004139736.tif 000021
【図２０】
2004139736.tif 000022
【図２１】
2004139736.tif 000023
【図２２】
2004139736.tif 000024